(57)【要約】  本開示の一実施形態の光源装置は、光源部と、光源部からの励起光により励起されて蛍光を発する蛍光体を有する回転体と、回転体を駆動するモータと、回転体を収容する筐体と、光源部からの励起光を回転体に向けて集光する１以上のレンズ群と、レンズ群を保持するレンズ保持部と、回転体とレンズ群との距離を調整する調整機構とを備える。
2019069563.tif 000002
【特許請求の範囲】
【請求項１】
光源部と、
前記光源部からの励起光により励起されて蛍光を発する蛍光体を有する回転体と、
前記回転体を駆動するモータと、
前記回転体を収容する筐体と、
前記光源部からの励起光を前記回転体に向けて集光する１以上のレンズ群と、
前記レンズ群を保持するレンズ保持部と、
前記回転体と前記レンズ群との距離を調整する調整機構と
を備えた光源装置。
【請求項２】
前記調整機構は、前記筐体と前記レンズ保持部とによって構成されている、請求項１に記載の光源装置。
【請求項３】
前記レンズ保持部は、前記筐体との嵌合部を有し、前記筐体は、前記嵌合部に対応する嵌合用開口を有する、請求項１に記載の光源装置。
【請求項４】
前記調整機構は、前記嵌合部および前記嵌合用開口にそれぞれ設けられたネジ切りによって構成されている、請求項３に記載の光源装置。
【請求項５】
前記レンズ保持部と前記筐体とは、バネ性を有するワッシャ、ロックナット、接着材または止めネジにより固定されている、請求項１に記載の光源装置。
【請求項６】
前記バネ性を有するワッシャは、ウェーブワッシャ、バネ座金、皿バネ座金、ノルトロックワッシャ−のうちのいずれかである、請求項５に記載の光源装置。
【請求項７】
前記レンズ保持部は、外周部の側面に凹凸構造を有する、請求項１に記載の光源装置。
【請求項８】
更に、前記モータを保持するモータ保持部を備え、
前記調整機構は、前記筐体と前記モータ保持部とによって構成されている、請求項１に記載の光源装置。
【請求項９】
更に、前記モータを保持するモータ保持部と、前記モータ保持部を送り出す送りネジとを備え、
前記モータ保持部は、前記送りネジに対応する送りネジ用開口を有し、
前記調整機構は、前記送りネジおよび前記送りネジ用開口にそれぞれ設けられたネジ切りによって構成されている、請求項１に記載の光源装置。
【請求項１０】
前記レンズ保持部は、前記筐体と一体化されている、請求項９に記載の光源装置。
【請求項１１】
前記筐体は、前記モータ保持部を収容するモータ収容部を備え、
前記モータ収容部は、内部に前記モータ保持部の移動方向をガイドするガイド部を有し、
前記モータ保持部は、側面に前記ガイド部と嵌合する被ガイド部を有する、請求項９に記載の光源装置。
【請求項１２】
前記モータ保持部と前記筐体とは、バネ性を有するワッシャ、ロックナット、接着材または止めネジにより固定されている、請求項９に記載の光源装置。
【請求項１３】
前記バネ性を有するワッシャは、ウェーブワッシャ、バネ座金、皿バネ座金、ノルトロックワッシャ−のうちのいずれかである、請求項１２に記載の光源装置。
【請求項１４】
光源装置と、
前記光源装置から出射される光を変調する光変調素子と、
前記光変調素子からの光を投射する投射光学系とを備え、
前記光源装置は、
光源部と、
前記光源部からの励起光により励起されて蛍光を発する蛍光体を有する回転体と、
前記回転体を駆動するモータと、
前記回転体を収容する筐体と、
前記光源部からの励起光を前記回転体に向けて集光する１以上のレンズ群と、
前記レンズ群を保持するレンズ保持部と、
前記回転体と前記レンズ群との距離を調整する調整機構と
を有する投射型表示装置。
【発明の詳細な説明】
【技術分野】
【０００１】
本開示は、蛍光体と集光レンズ群との間の距離を調整可能な光源装置およびこれを備えた投射型表示装置に関する。
【背景技術】
【０００２】
近年、パーソナルコンピュータの画面やビデオ画像等をスクリーンに投影する投射型表示装置（プロジェクタ）では、光源光学系として、例えば、半導体レーザー（laser diode；ＬＤ）と、蛍光体とを用いた発光デバイス（光源装置）が開発されている。このようなプロジェクタには、光源（ＬＤ）から出射される光の光路上に様々なレンズが配置されている。このうち、光源から出射される光を蛍光体上に集光する集光レンズ群と蛍光体との相対位置はプロジェクタの輝度に大きな影響を及ぼす。【０００３】
これに対して、例えば、特許文献１では、蛍光体が設けられたホイールおよびホイールを駆動するモータを有するホイール部と、ホイール部により出射された合成光を集光するレンズを有するレンズ部と、ホイール部およびレンズ部を１つのユニットとして支持するホルダ部とを備えた光源装置が開示されている。また、例えば、特許文献２では、蛍光体の配置位置を短時間で正確に調整するための光源装置の調整方法が開示されている。
【先行技術文献】
【特許文献】
【０００４】
【特許文献１】特開２０１４−２３８４８５号公報
【特許文献２】特開２０１２−２２１８２０号公報
【発明の概要】
【０００５】
このように、高い輝度を有する光源装置が求められている。
【０００６】
高い輝度を有する光源装置および投射型表示装置を提供することが望ましい。
【０００７】
本開示の一実施形態の光源装置は、光源部と、光源部からの励起光により励起されて蛍光を発する蛍光体を有する回転体と、回転体を駆動するモータと、回転体を収容する筐体と、光源部からの励起光を回転体に向けて集光する１以上のレンズ群と、レンズ群を保持するレンズ保持部と、回転体とレンズ群との距離を調整する調整機構とを備えたものである。
【０００８】
本開示の一実施形態の投射型表示装置は、光源装置と、光源装置から出射される光を変調する光変調素子と、光変調素子からの光を投射する投射光学系とを備えるものである。この投射型表示装置に搭載された光源装置は、上記本開示の一実施形態の光源装置と同一の構成要素を有している。
【０００９】
本開示の一実施形態の光源装置および一実施形態の投射型表示装置では、光源部からの励起光により励起されて蛍光を発する蛍光体を有する回転体と、光源部からの励起光を回転体に向けて集光する１以上のレンズ群を保持するレンズ保持部との距離を調整する調整機構を設けるようにした。これにより、蛍光体とレンズ群との距離を最適化することが可能となる。
【００１０】
本開示の一実施形態の光源装置および一実施形態の投射型表示装置によれば、蛍光体を有する回転体と、光源部からの励起光を回転体に向けて集光する１以上のレンズ群を保持するレンズ保持部との距離を調整する調整機構を設けるようにしたので、蛍光体とレンズ群との距離が最適化される。よって、高い輝度を有する光源装置およびこれを備えた投射型表示装置を提供することが可能となる。
【００１１】
なお、ここに記載された効果は必ずしも限定されるものではなく、本開示中に記載されたいずれの効果であってもよい。
【図面の簡単な説明】
【００１２】
【図１】本開示の第１の実施の形態に係る光源装置を構成する蛍光体ホイールおよびその周辺部材の構成の一例を表す断面模式図である。
【図２】図１に示した蛍光体ホイールおよびその周辺部材の斜視図である。
【図３】図１に示した蛍光体ホイールおよびその周辺部材の分解斜視図である。
【図４】図１に示したレンズ保持部の構成の他の例を表す模式図である。
【図５】図１に示した蛍光体ホイールを備えた光源装置の構成例を表す概略図である。
【図６】図５に示した光源装置を備えたプロジェクタの構成例を表す概略図である。
【図７】本開示の変形例１に係る光源装置を構成する蛍光体ホイールおよびその周辺部材の構成を表す断面模式図である。
【図８】本開示の変形例２に係る光源装置を構成する蛍光体ホイールおよびその周辺部材の構成を表す断面模式図である。
【図９】本開示の変形例３に係る光源装置を構成する蛍光体ホイールおよびその周辺部材の構成を表す断面模式図である。
【図１０】本開示の変形例４に係る光源装置を構成する蛍光体ホイールおよびその周辺部材の構成を表す断面模式図である。
【図１１】本開示の第２の実施の形態に係る光源装置を構成する蛍光体ホイールおよびその周辺部材の構成の一例を表す断面模式図である。
【図１２】図１１に示した蛍光体ホイールおよびその周辺部材の斜視図である。
【図１３】図１１に示した蛍光体ホイールおよびその周辺部材の分解斜視図である。
【図１４】図１１に示した蛍光体ホイールおよびその周辺部材における蛍光体ホイールと集光レンズ群との距離の調整方法を説明する模式図である。
【図１５】本開示の変形例５に係る光源装置を構成する蛍光体ホイールおよびその周辺部材の構成を表す断面模式図である。
【図１６】本開示の変形例６に係る光源装置を構成する蛍光体ホイールおよびその周辺部材の構成を表す断面模式図である。
【図１７】本開示の変形例７に係る光源装置を構成する蛍光体ホイールおよびその周辺部材の構成を表す断面模式図である。
【発明を実施するための形態】
【００１３】
以下、本開示における実施の形態について、図面を参照して詳細に説明する。以下の説明は本開示の一具体例であって、本開示は以下の態様に限定されるものではない。また、本開示は、各図に示す各構成要素の配置や寸法、寸法比等についても、それらに限定されるものではない。なお、説明する順序は、下記の通りである。
１．第１の実施の形態（レンズ保持部および筐体に設けられたネジ切りとウェーブワッシャとによって構成されるレンズ位置調整機構を有する光源装置）
１−１．レンズ位置調整機構の構成
１−２．光源装置の構成
１−３．プロジェクタの構成
１−４．作用・効果
２．変形例
２−１．変形例１（ネジ切りおよびロックナットによって構成されるレンズ位置調整機構の例）
２−２．変形例２（ネジ切りおよび止めネジによって構成されるレンズ位置調整機構の例）
２−３．変形例３（ネジ切りおよび接着材によって構成されるレンズ位置調整機構の例）
２−４．変形例４（モータ保持部および筐体に設けられたネジ切りとウェーブワッシャとによって構成されるレンズ位置調整機構の例）
３．第２の実施の形態（モータ保持部に設けられたネジ切りおよび送りネジとウェーブワッシャとによって構成されるレンズ位置調整機構の例）
３−１．レンズ位置調整機構の構成
３−２．作用・効果
４．変形例
４−１．変形例５（ネジ切りおよび送りネジとロックナットとによって構成されるレンズ位置調整機構の例）
４−２．変形例６（ネジ切りおよび送りネジと止めネジとによって構成されるレンズ位置調整機構の例）
４−３．変形例７（ネジ切りおよび送りネジと接着材とによって構成されるレンズ位置調整機構の例）
【００１４】
＜１．第１の実施の形態＞
図１は、本開示の第１の実施の形態に係る光源装置（光源装置１００Ａ）を構成する回転体（蛍光体ホイール１０）およびその周辺部材の断面構成の一例を模式的に表したものである。図２は、図１に示した蛍光体ホイール１０およびその周辺部材の構成を斜視的に表したものであり、図１は、図２に示したＩ−Ｉ線における断面を表したものである。図３は、図１および図２に示した蛍光体ホイール１０およびその周辺部材を分解して斜視的に表したものである。この光源装置１００Ａは、例えば、後述する投射型表示装置（プロジェクタ）を構成するもの（図５および図６参照）である。本実施の形態の光源装置１００Ａは、蛍光体ホイール１０と、集光レンズ群（例えば、集光レンズ３１，３２）との距離を調整する調整機構（レンズ位置調整機構）を有するものである。
【００１５】
（１−１．レンズ位置調整機構の構成）
光源装置１００Ａを構成する蛍光体ホイール１０は、例えば、筐体（筐体２１）に収容されている。筐体２１には、後述する光源部１１０（例えば、図５参照）から出射される励起光ＥＬを蛍光体ホイール１０に向けて集光する集光レンズ３１，３２を保持するレンズ保持部（レンズホルダ３３）が締結されている。本実施の形態のレンズ位置調整機構は、筐体２１とレンズホルダ３３とから構成されている。より詳細には、レンズ位置調整機構は、レンズホルダ３３の嵌合部３３Ａに設けられたネジ切り３３Ｘと、レンズホルダ３３の嵌合部３３Ａに対応する嵌合用の開口２１Ｈの側面に設けられたネジ切り２１Ｘとから構成されており、これらは嵌合するようになっている。筐体２１とレンズホルダ３３とは、例えば、筐体２１のフロント部と、レンズホルダ３３の押え部３３Ｂとの間に配置されたウェーブワッシャ３６によって固定される。
【００１６】
蛍光体ホイール１０は、例えば、反射型の波長変換素子であり、回転軸（例えば、軸１３Ｊ）を中心に回転可能なホイール基板１１上に、蛍光体層１２が設けられたものである。
【００１７】
ホイール基板１１は、蛍光体層１２を支持するためのものであり、例えば、円板形状を有する。また、ホイール基板１１は、放熱部材としての機能を有することが好ましく、熱伝導率が高く、鏡面加工が可能な金属材料やセラミックス材料等の無機材料からなる。ホイール基板１１の構成材料としては、例えば、アルミニウム（Ａｌ），銅（Ｃｕ），モリブデン（Ｍｏ），タングステン（Ｗ），コバルト（Ｃｏ），クロム（Ｃｒ），白金（Ｐｔ），タンタル（Ｔａ），リチウム（Ｌｉ），ジルコニウム（Ｚｒ），ルテニウム（Ｒｕ），ロジウム（Ｒｈ）またはパラジウム（Ｐｄ）等の単体金属、またはこれらを１種以上含む合金が挙げられる。あるいは、Ｗの含有率が８０原子％以上のＣｕＷや、Ｍｏの含有率が４０原子％以上のＣｕＭｏ等の合金を、ホイール基板１１を構成する金属材料として用いることもできる。セラミックス材料としては、例えば、炭化ケイ素（ＳｉＣ），窒化アルミニウム（ＡｌＮ），酸化ベリリウム（ＢｅＯ），ＳｉとＳｉＣとの複合材料、またはＳｉＣとＡｌとの複合材料（但しＳｉＣの含有率が５０％以上のもの）を含むものが挙げられる。
【００１８】
ホイール基板１１の蛍光体層１２が形成される面には、反射膜を形成することが好ましい。反射膜は、例えば、誘電体多層膜のほか、アルミニウム（Ａｌ），銀（Ａｇ）あるいはチタン（Ｔｉ）等の金属元素を含む金属膜等により形成されている。反射膜は、外部から照射される励起光ＥＬや蛍光体層１２からの蛍光ＦＬを反射し、蛍光体ホイール１０における発光効率を高めるように機能する。
【００１９】
なお、反射膜を形成する場合には、ホイール基板１１は、光反射性を有していなくてもよい。その場合には、ホイール基板１１は、単体ＳｉやＳｉＣ、ダイアモンド、サファイア等の結晶材料のほか、石英やガラスを用いることができる。また、ホイール基板１１の蛍光体層１２が形成される面とは反対側の面には、反射防止膜が設けられていることが好ましい。
【００２０】
蛍光体層１２は、複数の蛍光体粒子を含むものであり、例えば、プレート状に形成されていることが好ましく、例えば、所謂セラミックス蛍光体によって構成されている。蛍光体層１２は、ホイール基板１１上に、例えば、円環状に形成されている。蛍光体粒子は、光源部１１０から照射される励起光ＥＬを吸収して蛍光ＦＬを発する粒子状の蛍光体である。蛍光体粒子としては、例えば、青色波長域（例えば４００ｎｍ〜４７０ｎｍ）の波長を有する青色レーザ光により励起されて黄色の蛍光（赤色波長域から緑色波長域の間の波長域の光）を発する蛍光物質が用いられている。このような蛍光物質として、例えばＹＡＧ（イットリウム・アルミニウム・ガーネット）系材料が挙げられる。蛍光体粒子の平均粒径は、例えば、５μｍ以上４０μｍ以下であり、蛍光体層１２の厚さは、例えば、４０μｍ以上２００μｍ以下の厚みに形成されていることが好ましい。
【００２１】
モータ１３は、蛍光体ホイール１０を所定の回転数で回転駆動するためのものである。モータ１３は、後述する光源部１１０から出射される励起光ＥＬの照射方向に直交する面内で蛍光体層１２が回転するように蛍光体ホイール１０を駆動する。これにより、蛍光体ホイール１０の励起光ＥＬの照射位置が、励起光の照射方向に直交する面内において回転数に対応した速度で時間的に変化（移動）する。モータ１３は、例えば、ネジ２５によって筐体２１の背面、リアカバー２１Ｂに固定されている。
【００２２】
筐体２１は、蛍光体ホイール１０を収容するためのものである。筐体２１は、例えば、蛍光体ホイール１０の前面を覆うフロントカバー２１Ａと、蛍光体ホイール１０の背面を覆うと共に蛍光体ホイール１０を駆動するモータ１３を支持するリアカバー２１Ｂとから構成されている。フロントカバー２１Ａには、上記のように集光レンズ３１，３２を保持するレンズホルダ３３が嵌合される嵌合用の開口２１Ｈが設けられており、開口２１Ｈの側面には、ネジ切り２１Ｘが形成されている。また、筐体２１には、別途配設される冷却ファン（図示せず）から送出される蛍光体ホイール１０を冷却する冷却風の流入口２２および排出口２３が設けられている。筐体２１は、例えば、熱膨張率の低い材料によって構成されていることが好ましい。
【００２３】
集光レンズ３１，３２は、例えば、蛍光体ホイール１０の蛍光体層１２に正対する位置に、光源部１１０から出射される励起光ＥＬ１の光路上に、例えば、光源部１１０側から集光レンズ３１および集光レンズ３２の順に配置されている（図５では、集光光学系１１３として図示している）。集光レンズ３１は、光源部１１０からの励起光ＥＬを集光レンズ３２に向けて集光するようになっている。集光レンズ３２は、集光レンズ３１を介して入射した励起光ＥＬ１を蛍光体層１２に集光するようになっている。また、集光レンズ３２は、蛍光体層１２から出射される蛍光ＦＬを集光レンズ３１に向けて出射するようになっている。集光レンズ３１は、例えば、集光レンズ３２よりも外径が大きい。集光レンズ３１，３２は、それぞれ、レンズ押え板３４，３５によってその外周部分がレンズホルダ３３によって保持されている。
【００２４】
レンズホルダ３３は、上記のように、集光レンズ３１，３２を保持するためのものであるレンズホルダ３３は、筐体２１の開口２１Ｈに嵌合する嵌合部３３Ａを有する。嵌合部３３Ａの側面には、筐体２１の開口２１Ｈの側面に設けられているネジ切り２１Ｘに対応するネジ切り３３Ｘが、例えば全面に形成されている。レンズホルダ３３は、筐体２１と同様に、例えば、熱膨張率の低い材料によって構成されていることが好ましい。
【００２５】
本実施の形態では、上記筐体２１の開口２１Ｈの側面に設けられたネジ切り２１Ｘと、レンズホルダ３３の嵌合部３３Ａの側面に設けられたネジ切り３３Ｘとによって蛍光体ホイール１０上に設けられた蛍光体層１２と、集光レンズ３１，３２との間の距離を調整可能となっている。具体的には、側面にネジ切り２１Ｘを有する開口２１Ｈに、側面にネジ切り２１Ｘに対応するネジ切り３３Ｘを有する嵌合部３３Ａを嵌め、レンズホルダ３３を回転させることで、Ｚ軸方向の距離を微小（例えば、１０μｍ程度）に調整可能となっている。これにより、蛍光体層１２と集光レンズ３１，３２との間の距離をより細かく精確に調整することが可能となる。また、筐体２１のフロント部と、レンズホルダ３３の押え部３３Ｂとの間には、ウェーブワッシャ３６が配置されている。これにより、筐体２１のフロント部とレンズホルダ３３の押え部３３Ｂとの間には、常に一定方向に圧力がかかるようになり嵌合部３３Ａの位置が固定され、レンズ位置調整後の蛍光体層１２と集光レンズ３１，３２との間の距離が固定される。よって、蛍光体ホイール１０の回転による振動等によって生じる虞のあるレンズホルダ３３の緩み等による位置ずれが抑制される。
【００２６】
また、レンズホルダ３３の押え部３３Ｂの外周部には、図４に示したように、凹凸構造を形成するようにしてもよい。凹凸構造を設けることにより、例えば、冶具７１を用いて蛍光体層１２と集光レンズ３１，３２との間の距離を調整する際に作用点が遠くなり、送り量に対する作用距離が大きくとれるようになる。よって、レンズホルダ３３の微小送りが容易となり、蛍光体層１２と集光レンズ３１，３２との間の距離の、例えば数１００μｍ程度の微細な調整が可能となる。
【００２７】
なお、レンズホルダ３３は、圧電素子やコイル、あるいはマイクロメータを用いて回転させるようにしてもよい。これにより、蛍光体層１２と集光レンズ３１，３２との間の距離をより微細に調整することが容易になる。
【００２８】
（１−２．光源装置の構成）
図５は、光源装置１００Ａの全体構成を表す概略図である。光源装置１００Ａは、蛍光体ホイール１０と、光源部１１０と、集光光学系１１１，１１３と、ダイクロイックミラー１１２とを有する。光源部１１０を除く光源装置１００Ａを構成する各部材は、蛍光体ホイール１０側から集光光学系１１３、ダイクロイックミラー１１２の順に、蛍光体ホイール１０から出射される光（ＦＬ）の光路上に配置されている。光源部１１０は、蛍光ＦＬの光路と直交する方向で、集光光学系１１１を間に、ダイクロイックミラー１１２に対向する位置に配置されている。
【００２９】
光源部１１０は、所定の波長の光を射出する固体発光素子を有する。本実施の形態では、固体発光素子として、励起光ＥＬ（例えば、波長４４５ｎｍまたは４５５ｎｍの青色レーザ光）を発振する半導体レーザ素子が用いられており、光源部１１０からは、励起光ＥＬが射出される。
【００３０】
なお、半導体レーザ素子で光源部１１０を構成する場合には、１つの半導体レーザ素子で所定の出力の励起光ＥＬを得る構成としてもよいが、複数の半導体レーザ素子からの出射光を合波して所定の出力の励起光ＥＬを得る構成としてもよい。更に、励起光ＥＬの波長は、上記数値に限定されず、青色光と呼ばれる光の波長帯域内の波長であれば任意の波長を用いることができる。
【００３１】
集光光学系１１１は、光源部１１０から出射された励起光ＥＬを所定のスポット径に集光し、ダイクロイックミラー１１２に向けて出射するものである。
【００３２】
ダイクロイックミラー１１２は、所定の波長域の光を選択的に反射し、それ以外の波長域の光を選択的に透過させるものである。具体的には、ダイクロイックミラー１１２は、光源部１１０から出射された青色光（励起光ＥＬ）を集光光学系１１３の方向へ反射すると共に、蛍光体ホイール１０から集光光学系１１３を透過して入射した黄色光（蛍光ＦＬ）を赤色光Ｒおよび緑色光Ｇに分光して照明光学系２００（後出）に入射させるものである。
【００３３】
集光光学系１１３は、ダイクロイックミラー１１２によって反射された励起光ＥＬを所定のスポット径に集光し、集光された励起光ＥＬを蛍光体ホイール１０に向けて出射するものである。また、集光光学系１１３は、蛍光体ホイール１０から出射される蛍光ＦＬをダイクロイックミラー１１２に向けて出射するものである。なお、集光光学系１１３は、上述した集光レンズ３１，３２を用いて構成されている。
【００３４】
なお、図５に示した光源装置１００Ａの構成は一例であり、これに限定されるものではない。例えば、光源部１１０と蛍光体ホイール１０との間に、例えば１／４波長板等を配置した偏光方式の光源装置を構成してもよい。
【００３５】
（１−３．プロジェクタの構成）
次に、本開示の投射型表示装置（プロジェクタ１）について説明する。図６は、図５に示した光源装置１００Ａを光源光学系として備えたプロジェクタ１の全体構成を表した概略図である。なお、以下では、反射型の液晶パネル（ＬＣＤ）により光変調を行う反射型３ＬＣＤ方式のプロジェクタを例示して説明する。なお、蛍光体ホイール１０は、反射型液晶パネルの代わりに、透過型液晶パネルやデジタル・マイクロミラー・デバイス（ＤＭＤ：Digital Micro-mirror Device）等を用いたプロジェクタにも適用され得る。
【００３６】
プロジェクタ１は、図６に示したように、上述した光源装置１００Ａと、照明光学系２００と、画像形成部３００と、投影光学系４００（投射光学系）とを順に備えている。
【００３７】
照明光学系２００は、例えば、光源装置１００Ａに近い位置からフライアイレンズ２１０（２１０Ａ，２１０Ｂ）と、偏光変換素子２２０と、レンズ２３０と、ダイクロイックミラー２４０Ａ，２４０Ｂと、反射ミラー２５０Ａ，２５０Ｂと、レンズ２６０Ａ，２６０Ｂと、ダイクロイックミラー２７０と、偏光板２８０Ａ〜２８０Ｃとを有している。
【００３８】
フライアイレンズ２１０（２１０Ａ，２１０Ｂ）は、光源装置１００Ａからの白色光の照度分布の均質化を図るものである。偏光変換素子２２０は、入射光の偏光軸を所定方向に揃えるように機能するものである。例えば、Ｐ偏光以外の光をＰ偏光に変換する。レンズ２３０は、偏光変換素子２２０からの光をダイクロイックミラー２４０Ａ，２４０Ｂへ向けて集光する。ダイクロイックミラー２４０Ａ，２４０Ｂは、所定の波長域の光を選択的に反射し、それ以外の波長域の光を選択的に透過させるものである。例えば、ダイクロイックミラー２４０Ａは、主に赤色光を反射ミラー２５０Ａの方向へ反射させる。また、ダイクロイックミラー２４０Ｂは、主に青色光を反射ミラー２５０Ｂの方向へ反射させる。したがって、主に緑色光がダイクロイックミラー２４０Ａ，２４０Ｂの双方を透過し、画像形成部３００の反射型偏光板３１０Ｃ（後出）へ向かうこととなる。反射ミラー２５０Ａは、ダイクロイックミラー２４０Ａからの光（主に赤色光）をレンズ２６０Ａに向けて反射し、反射ミラー２５０Ｂは、ダイクロイックミラー２４０Ｂからの光（主に青色光）をレンズ２６０Ｂに向けて反射する。レンズ２６０Ａは、反射ミラー２５０Ａからの光（主に赤色光）を透過し、ダイクロイックミラー２７０へ集光させる。レンズ２６０Ｂは、反射ミラー２５０Ｂからの光（主に青色光）を透過し、ダイクロイックミラー２７０へ集光させる。ダイクロイックミラー２７０は、緑色光を選択的に反射すると共にそれ以外の波長域の光を選択的に透過するものである。ここでは、レンズ２６０Ａからの光のうち赤色光成分を透過する。レンズ２６０Ａからの光に緑色光成分が含まれる場合、その緑色光成分を偏光板２８０Ｃへ向けて反射する。偏光板２８０Ａ〜２８０Ｃは、所定方向の偏光軸を有する偏光子を含んでいる。例えば、偏光変換素子２２０においてＰ偏光に変換されている場合、偏光板２８０Ａ〜２８０ＣはＰ偏光の光を透過し、Ｓ偏光の光を反射する。
【００３９】
画像形成部３００は、反射型偏光板３１０Ａ〜３１０Ｃと、反射型液晶パネル３２０Ａ〜３２０Ｃ（光変調素子）と、ダイクロイックプリズム３３０とを有する。
【００４０】
反射型偏光板３１０Ａ〜３１０Ｃは、それぞれ、偏光板２８０Ａ〜２８０Ｃからの偏光光の偏光軸と同じ偏光軸の光（例えばＰ偏光）を透過し、それ以外の偏光軸の光（Ｓ偏光）を反射するものである。具体的には、反射型偏光板３１０Ａは、偏光板２８０ＡからのＰ偏光の赤色光を反射型液晶パネル３２０Ａの方向へ透過させる。反射型偏光板３１０Ｂは、偏光板２８０ＢからのＰ偏光の青色光を反射型液晶パネル３２０Ｂの方向へ透過させる。反射型偏光板３１０Ｃは、偏光板２８０ＣからのＰ偏光の緑色光を反射型液晶パネル３２０Ｃの方向へ透過させる。また、ダイクロイックミラー２４０Ａ，２４０Ｂの双方を透過して反射型偏光板３１０Ｃに入射したＰ偏光の緑色光は、そのまま反射型偏光板３１０Ｃを透過してダイクロイックプリズム３３０に入射する。更に、反射型偏光板３１０Ａは、反射型液晶パネル３２０ＡからのＳ偏光の赤色光を反射してダイクロイックプリズム３３０に入射させる。反射型偏光板３１０Ｂは、反射型液晶パネル３２０ＢからのＳ偏光の青色光を反射してダイクロイックプリズム３３０に入射させる。反射型偏光板３１０Ｃは、反射型液晶パネル３２０ＣからのＳ偏光の緑色光を反射してダイクロイックプリズム３３０に入射させる。
【００４１】
反射型液晶パネル３２０Ａ〜３２０Ｃは、それぞれ、赤色光、青色光または緑色光の空間変調を行うものである。
【００４２】
ダイクロイックプリズム３３０は、入射される赤色光、青色光および緑色光を合成し、投影光学系４００へ向けて出射するものである。
【００４３】
投影光学系４００は、例えば、図示していないが、複数のレンズ等を有する。投影光学系４００は、画像形成部３００からの出射光を拡大してスクリーン５００へ投射する。
【００４４】
（１−４．作用・効果）
前出したように、プロジェクタには、光源から出射される光の光路上に様々なレンズが配置されている。このうち、光源から出射される光を蛍光体上に集光する集光レンズ群と蛍光体との相対位置はプロジェクタの輝度に対して特に大きな影響を及ぼす。一般的なプロジェクタでは、部品精度を上げることで輝度の向上が図られている。しかしながら、部品精度によるプロジェクタの輝度の管理は、部品のばらつきによる輝度の低下が起こりやすい。また、コストを増加させることに繋がる。また、蛍光体の表面は凹凸を有するため、プロジェクタの輝度を部品寸法で管理することは困難であった。
【００４５】
これに対して、本実施の形態では、微小な調整が可能なレンズ位置調整機構を設けることで、蛍光体ホイール１０上に設けられた蛍光体層１２と、集光レンズ群（集光レンズ３１，３２）との間の距離を制御するようにした。具体的には、蛍光体ホイール１０を収容する筐体２１および集光レンズ３１，３２を保持するレンズホルダ３３に、互いに嵌合するネジ切り２１Ｘ，３３Ｘを設けるようにした。これにより、レンズホルダ３３を筐体２１に締結する際に、例えば、レンズホルダ３３の回転量を調整することで、蛍光体ホイール１０に設けられた蛍光体層１２と集光レンズ３１，３２との距離の調整が可能となる。即ち、蛍光体層１２と集光レンズ３１，３２との相対位置の最適化を図ることが可能となる。
【００４６】
以上のように、本実施の形態の光源装置１００Ａでは、蛍光体ホイール１０を収容する筐体２１および集光レンズ３１，３２を保持するレンズホルダ３３に、互いに嵌合するネジ切り２１Ｘ，３３Ｘを設け、レンズホルダ３３を筐体２１に締結する際に、例えば、レンズホルダ３３の回転量を調整することで、レンズ位置の微小な調整を可能にした。これにより、蛍光体層１２と集光レンズ３１，３２との相対位置が最適化され、高い輝度を有する光源装置１００Ａおよびこれを備えたプロジェクタ１を提供することが可能となる。
【００４７】
また、本実施の形態では、蛍光体層１２と集光レンズ３１，３２との距離を上記のように機械的に調整するようにしたので、部品のばらつきを吸収することが可能となり、蛍光体層１２と集光レンズ３１，３２との相対位置の最適化を容易に図ることが可能となる。
【００４８】
更に、本実施の形態では、部品精度を落としても集光レンズ３１，３２を、蛍光体層１２に対して最良の相対位置に調整することができるため、コストを低減することが可能となる。
【００４９】
更にまた、本実施の形態では、筐体２１とレンズホルダ３３の押え部３３Ｂとの間にウェーブワッシャ３６を配置するようにしたので、蛍光体層１２に対して最良の相対位置での集光レンズ３１，３２の固定を容易に行うことが可能となる。また、ウェーブワッシャ３６による固定は、常に一定方向に圧力がかかっているため、バックラッシュの影響を受けにくく、また、圧力で固定しているため、レンズ位置の再調整を容易に行うことが可能となる。
【００５０】
次に、第２の実施の形態および変形例１〜７について説明する。以下では、上記第１の実施の形態と同様の構成要素については同一の符号を付し、適宜その説明を省略する。
【００５１】
＜２．変形例＞
（２−１．変形例１）
図７は、本開示の第１の実施の形態の変形例（変形例１）に係る光源装置１００Ｂを構成する蛍光体ホイール１０およびその周辺部材の断面構成を模式的に表したものである。この光源装置１００Ｂは、上記光源装置１００Ａと同様に、例えば、プロジェクタ１を構成するものである。本変形例の光源装置１００Ｂでは、筐体２１とレンズホルダ３３の押え部３３Ｂとの間にロックナット３７を配置し、このロックナット３７によって蛍光体層１２に対する集光レンズ３１，３２のレンズ位置調整後の固定を行う点が上記第１の実施の形態とは異なる。
【００５２】
ロックナット３７を用いたレンズ位置調整機構では、蛍光体層１２に対する集光レンズ３１，３２のレンズ位置調整後に、ロックナット３７を回転させて筐体２１に突き当てることによってレンズホルダ３３のネジ切り３３Ｘに圧力がかかり固定される。また、圧力で固定しているため、ウェーブワッシャ３６を用いた場合と同様に、レンズ位置の再調整を容易に行うことが可能となる。
【００５３】
（２−２．変形例２）
図８は、本開示の第１の実施の形態の変形例（変形例２）に係る光源装置１００Ｃを構成する蛍光体ホイール１０およびその周辺部材の断面構成を模式的に表したものである。この光源装置１００Ｃは、上記光源装置１００Ａ等と同様に、例えば、プロジェクタ１を構成するものである。本変形例の光源装置１００Ｃでは、蛍光体層１２に対する集光レンズ３１，３２のレンズ位置調整後の固定を、止めネジ２４によって行う点が上記第１の実施の形態とは異なる。
【００５４】
止めネジ２４を用いたレンズ位置調整機構では、蛍光体層１２に対する集光レンズ３１，３２のレンズ位置調整後に、筐体２１の開口２１Ｈの側面に取り付けられた止めネジ２４を回転させて開口２１Ｈに挿入されているレンズホルダ３３の側面に突き当てることによってレンズホルダ３３に圧力がかかり固定される。
【００５５】
（２−３．変形例３）
図９は、本開示の第１の実施の形態の変形例（変形例３）に係る光源装置１００Ｄを構成する蛍光体ホイール１０およびその周辺部材の断面構成を模式的に表したものである。この光源装置１００Ｄは、上記光源装置１００Ａ等と同様に、例えば、プロジェクタ１を構成するものである。本変形例の光源装置１００Ｄでは、蛍光体層１２に対する集光レンズ３１，３２のレンズ位置調整後の固定に接着材３８を用いる点が上記第１の実施の形態とは異なる。
【００５６】
接着材３８を用いたレンズ位置調整機構では、蛍光体層１２に対する集光レンズ３１，３２のレンズ位置調整後に、筐体２１の開口２１Ｈの側面とレンズホルダ３３の嵌合部３３Ａの側面とを接着材３８によって接着することで、蛍光体層１２に対する集光レンズ３１，３２の位置が固定される。
【００５７】
（２−４．変形例４）
図１０は、本開示の第１の実施の形態の変形例（変形例４）に係る光源装置１００Ｉを構成する蛍光体ホイール１０およびその周辺部材の断面構成を模式的に表したものである。この光源装置１００Ｉは、上記光源装置１００Ａ等と同様に、例えば、プロジェクタ１を構成するものである。本変形例の光源装置１００Ｉでは、レンズ位置調整機構が、筐体６１と、蛍光体ホイール１０のモータ１３が、例えば固定ネジ６５によって固定されたモータホルダ６３とから構成されている点が上記第１の実施の形態とは異なる。
【００５８】
より詳細には、レンズ位置調整機構は、筐体６１のリアカバー６１Ｂと、筐体６１のリアカバー６１Ｂに取り付けられるモータホルダ６３とにそれぞれ設けられたネジ切り６１Ｘ，６３Ｘによって構成されており、これらは嵌合するようになっている。また、リアカバー６１Ｂとモータホルダ６３との間、具体的には、互いに対向するリアカバー６１Ｂの押え部６１Ｂａとモータホルダ６３の押え部６３Ａとの間にはウェーブワッシャ６６が配置されており、これによって蛍光体ホイール１０と集光レンズ３１，３２との距離が固定されるようになっている。
【００５９】
筐体６１は、例えば、蛍光体ホイール１０の前面を覆うフロントカバー６１Ａと、蛍光体ホイール１０の背面の一部を覆うリアカバー６１Ｂとから構成されている。リアカバー６１Ｂには、モータホルダ６３が嵌合される嵌合用の開口６１Ｈが設けられており、その側面にネジ切り６１Ｘが形成されている。本変形例では、開口６１Ｈにもモータホルダ６３を嵌め、モータホルダ６３を回転させることでモータ１３に接続されている蛍光体ホイール１０がＺ軸方向に移動するようになっている。
【００６０】
以上のように、本変形例の光源装置１００Ｉでは、筐体６１のリアカバー６１Ｂにモータホルダ６３が嵌合する開口６１Ｈを設け、それぞれの側面に互いに嵌合するネジ切り６１Ｘ，６３Ｘを設けるようにした。これにより、モータホルダ６３を開口６１Ｈに嵌め、これを回転させることで、蛍光体ホイール１０がＺ軸方向に移動するようになり、蛍光体層１２と集光レンズ３１，３２との相対位置の最適化が可能となる。また、リアカバー６１Ｂおよびモータホルダ６３にそれぞれ設けられた押え部６１Ｂａ，６３Ａの間にウェーブワッシャ６６を配置するようにしたので、蛍光体層１２に対して最良の相対位置での集光レンズ３１，３２の固定を容易に行うことが可能となる。よって、本変形例は、上記第１の実施の形態における光源装置１００Ａと同様の効果を奏する。
【００６１】
＜３．第２の実施の形態＞
図１１は、本開示の第２の実施の形態に係る光源装置（光源装置１００Ｅ）を構成する回転体（蛍光体ホイール１０）およびその周辺部材の断面構成の一例を模式的に表したものである。図１２は、図１１に示した蛍光体ホイール１０およびその周辺部材の構成を背面側から斜視的に表したものであり、図１１は、図１２に示したＩＩ−ＩＩ線における断面を表したものである。図１３は、図１１および図１２に示した蛍光体ホイール１０およびその周辺部材を分解して斜視的に表したものである。この光源装置１００Ｅは、上記光源装置１００Ａと同様に、例えば、プロジェクタ１を構成するものである。本実施の形態の光源装置１００Ｅは、レンズ位置調整機構が、モータホルダ５１に設けられたネジ切り５１Ｘと、このネジ切り５１Ｘに対応するネジ切り５２Ｘを備えた送りネジ５２とから構成されたものである。
【００６２】
（３−１．レンズ位置調整機構の構成）
光源装置１００Ｅを構成する蛍光体ホイール１０は、例えば、筐体４１のモータ収容部４１Ｃにモータ１３と共に収容されている。本実施の形態では、モータ１３には、モータ１３を支持すると共に、筐体４１内においてモータ１３を保持するモータホルダ５１が取り付けられている。このモータホルダ５１とモータ収容部４１Ｃとは嵌合関係にあり、これにより、モータホルダ５１がモータ収容部４１Ｃ内を、光軸に対して直交方向（例えばＺ軸方向）に移動可能となっている。詳細には、モータホルダ５１には、側面にネジ切り５１Ｘを有する開口５１Ｈが設けられており、この開口５１Ｈと嵌合すると共に、ネジ切り５１Ｘに対応するネジ切り５２Ｘが設けられた送りネジ５２を、例えば筐体４１の外側から回転させることによって、モータホルダ５１がモータ収容部４１Ｃ内を移動して、集光レンズ３１，３２と蛍光体層１２を有する蛍光体ホイール１０との距離が調整される。
【００６３】
筐体４１は、例えば、蛍光体ホイール１０の前面を覆うフロントカバー４１Ａと、蛍光体ホイール１０の背面を覆うリアカバー４１Ｂとから構成されている。フロントカバー４１Ａには、例えば、集光レンズ３１，３２が一体化されている。リアカバー４１Ｂには、上記のようにモータホルダ５１を収容するモータ収容部４１Ｃが設けられている。モータ収容部４１Ｃは、内部に、モータホルダ５１を収容すると共に、モータホルダ５１の移動をＺ軸方向にガイドするガイド部４１Ｇを有する。具体的には、ガイド部４１Ｇ（モータ収容部４１Ｃの内径）はモータホルダ５１の外径（外側面）と嵌合するようになっている。これにより、モータホルダ５１がＺ軸方向にのみ移動可能となり、励起光ＥＬの照射位置の平面方向のずれが抑制される。リアカバー４１Ｂのモータ収容部４１Ｃには、上記送りネジ５２が挿入される開口４１Ｈが設けられている。また、筐体４１には、第１の実施の形態における筐体２１と同様に、蛍光体ホイール１０を冷却する冷却風の流入口４２および排出口４３が設けられている。
【００６４】
モータホルダ５１は、上記のように、蛍光体ホイール１０を駆動するモータ１３を保持するためのものであり、モータ１３は、例えば固定ネジ５５によって、モータホルダ５１に固定されている。モータホルダ５１の外径（外側面）は被ガイド部５１Ｇとして、モータ収容部４１Ｃのガイド部４１Ｇと嵌合するようになっている。即ち、本実施の形態の光源装置１００Ｅでは、モータホルダ５１を筐体４１のモータ収容部４１Ｃに収容することで、モータホルダ５１の移動が光軸に対して直交方向（例えばＺ軸方向）にのみ可能となっている。これにより、励起光ＥＬの照射位置の平面方向のずれが抑制され、集光レンズ３１，３２に対する蛍光体層１２の精確な位置調整が可能となる。モータホルダ５１の背面には、開口５１Ｈが設けられている。この開口５１Ｈは、モータ収容部４１Ｃ内においてモータホルダ５１をＺ軸方向に移動させる送りネジ５２と嵌合するものであり、開口５１Ｈの側面には、送りネジ５２に形成されているネジ切り５２Ｘに対応するネジ切り５１Ｘが設けられている。
【００６５】
更に、筐体４１内におけるモータホルダ５１の背面とリアカバー４１Ｂとの間には、ウェーブワッシャ５３が配置されている。
【００６６】
本実施の形態のレンズ位置調整機構は、開口５１Ｈの側面および送りネジ５２の側面にそれぞれ設けられたネジ切り５１Ｘ，５２Ｘによって構成されている。本実施の形態では、送りネジ５２を、例えば図１２および図１４に示した矢印方向に、例えば、冶具７２を用いて回転させることによって、モータホルダ５１がモータ収容部４１Ｃの側面に沿って移動する。これにより、モータ１３に接続されている蛍光体ホイール１０が、例えばＺ軸方向に移動し、蛍光体ホイール１０上の蛍光体層１２と集光レンズ３１，３２との間の距離の微小な調整が可能となる。また、筐体４１内におけるモータホルダ５１の背面とリアカバー４１Ｂとの間には、ウェーブワッシャ５３が配置されており、このウェーブワッシャ５３によって、レンズ位置調整後の、蛍光体層１２と集光レンズ３１，３２との間の距離が固定される。よって、蛍光体ホイール１０の回転による振動等によって生じる虞のあるモータホルダ５１の位置ずれが抑制される。
【００６７】
（３−２．作用・効果）
以上のように、本実施の形態の光源装置１００Ｅでは、筐体４１に、モータ収容部４１Ｃを設け、このモータ収容部４１Ｃの側面に沿って、モータホルダ５１が、例えばＺ軸方向に移動するようにした。具体的には、モータホルダ５１の背面には、モータ収容部４１Ｃ内においてモータホルダ５１をＺ軸方向に移動させる送りネジ５２と嵌合する開口５１Ｈが設けられている。開口５１Ｈの側面および送りネジ５２には、互いに対応するネジ切りが設けられており、送りネジ５２を、例えば筐体４１の外側から回転させることによって、モータホルダ５１がモータ収容部４１Ｃの側面に沿って移動する。これにより、集光レンズ３１，３２に対して蛍光体層１２を有する蛍光体ホイール１０をＺ軸方向に微小に調整することが可能となり、蛍光体層１２と集光レンズ３１，３２との相対位置が最適化される。即ち、本実施の形態の光源装置１００Ｅは、上記第１の実施の形態における光源装置１００Ａと同様の効果を奏する。
【００６８】
また、本実施の形態では、筐体４１内におけるモータホルダ５１の背面とリアカバー４１Ｂとの間には、ウェーブワッシャ５３が配置するようにしたので、上記第１の実施の形態と同様に、蛍光体層１２に対して最良の相対位置での集光レンズ３１，３２の固定を容易に行うことが可能となる。
【００６９】
＜４．変形例＞
（４−１．変形例５）
図１５は、本開示の第２の実施の形態の変形例（変形例５）に係る光源装置１００Ｆを構成する蛍光体ホイール１０およびその周辺部材の断面構成を模式的に表したものである。この光源装置１００Ｆは、上記光源装置１００Ａと同様に、例えば、プロジェクタ１を構成するものである。本変形例の光源装置１００Ｆでは、筐体４１と送りネジ５２との間にロックナット５７を配置し、このロックナット５７によって集光レンズ３１，３２に対する蛍光体層１２のレンズ位置調整後の固定を行う点が上記第２の実施の形態とは異なる。
【００７０】
ロックナット５７を用いたレンズ位置調整機構では、蛍光体層１２に対する集光レンズ３１，３２のレンズ位置調整後に、ロックナット５７を回転させて筐体４１のリアカバー４１Ｂに突き当てることによって送りネジ５２のネジ切り５２Ｘに圧力がかかり固定される。また、圧力で固定しているため、ウェーブワッシャ５３を用いた場合と同様に、レンズ位置の再調整を容易に行うことが可能となる。
【００７１】
（４−２．変形例６）
図１６は、本開示の第２の実施の形態の変形例（変形例６）に係る光源装置１００Ｇを構成する蛍光体ホイール１０およびその周辺部材の断面構成を模式的に表したものである。この光源装置１００Ｇは、上記光源装置１００Ａ等と同様に、例えば、プロジェクタ１を構成するものである。本変形例の光源装置１００Ｇでは、集光レンズ３１，３２に対する蛍光体層１２のレンズ位置調整後の固定を、止めネジ５４によって行う点が上記第２の実施の形態とは異なる。
【００７２】
止めネジ５４を用いたレンズ位置調整機構では、蛍光体層１２に対する集光レンズ３１，３２のレンズ位置調整後に、筐体４１のモータ収容部４１Ｃの側面に取り付けられた止めネジ５４を回転させてモータ収容部４１Ｃに収容されているモータホルダ５１に突き当てることによってモータホルダ５１に圧力がかかり固定される。
【００７３】
（４−３．変形例７）
図１７は、本開示の第２の実施の形態の変形例（変形例７）に係る光源装置１００Ｈを構成する蛍光体ホイール１０およびその周辺部材の断面構成を模式的に表したものである。この光源装置１００Ｈは、上記光源装置１００Ａ等と同様に、例えば、プロジェクタ１を構成するものである。本変形例の光源装置１００Ｈでは、集光レンズ３１，３２に対する蛍光体層１２のレンズ位置調整後の固定に接着材５８を用いる点が上記第２の実施の形態とは異なる。
【００７４】
接着材５８を用いたレンズ位置調整機構では、集光レンズ３１，３２に対する蛍光体層１２のレンズ位置調整後に、モータホルダ５１をモータ収容部４１Ｃ内に接着材５８によって接着することで、集光レンズ３１，３２に対する蛍光体層１２の位置が固定される。
【００７５】
以上、第１，第２の実施の形態および変形例１〜７を挙げて本開示を説明したが、本開示は上記実施の形態等に限定されるものではなく、種々の変形が可能である。例えば、上記実施の形態において説明した部材以外のものを用いて構成してもよい。
【００７６】
例えば、上記第１の実施の形態および第２の実施の形態では、レンズ位置調整後の固定にウェーブワッシャ３６，５３を用いたが、コルスプリング、緩み止めワッシャ等のバネ性を有する部材であれば置き換えることが可能である。このような部材としては、例えば、バネ座金、皿バネ座金およびノルトロックワッシャ等が挙げられる。また、上記変形例１および変形例５では、レンズ位置調整後の固定にロックナット３７，５７を用いたが、くさびナットに置き換えることが可能である。
【００７７】
更に、本技術に係る投射型表示装置として、上記プロジェクタ以外の装置が構成されてもよい。例えば、上記第１の実施の形態では、光変調素子として反射型液晶パネルを用いた反射型３ＬＣＤ方式のプロジェクタを挙げて説明したが、これに限らず、本技術は、透過型液晶パネルと用いた、所謂透過型３ＬＣＤ方式のプロジェクタにも適用することができる。
【００７８】
さらにまた、本実施の形態では、本開示の蛍光体ホイールの一実施例として反射型の蛍光体ホイールを用いた例を示したが、本開示の技術は、例えば、透過型の蛍光体ホイールにも適用できる。
【００７９】
なお、本技術は以下のような構成を取ることも可能である。
（１）
光源部と、
前記光源部からの励起光により励起されて蛍光を発する蛍光体を有する回転体と、
前記回転体を駆動するモータと、
前記回転体を収容する筐体と、
前記光源部からの励起光を前記回転体に向けて集光する１以上のレンズ群と、
前記レンズ群を保持するレンズ保持部と、
前記回転体と前記レンズ群との距離を調整する調整機構と
を備えた光源装置。
（２）
前記調整機構は、前記筐体と前記レンズ保持部とによって構成されている、前記（１）に記載の光源装置。
（３）
前記レンズ保持部は、前記筐体との嵌合部を有し、前記筐体は、前記嵌合部に対応する嵌合用開口を有する、前記（１）または（２）に記載の光源装置。
（４）
前記調整機構は、前記嵌合部および前記嵌合用開口にそれぞれ設けられたネジ切りによって構成されている、前記（３）に記載の光源装置。
（５）
前記レンズ保持部と前記筐体とは、バネ性を有するワッシャ、ロックナット、接着材または止めネジにより固定されている、前記（１）乃至（４）のうちのいずれかに記載の光源装置。
（６）
前記バネ性を有するワッシャは、ウェーブワッシャ、バネ座金、皿バネ座金、ノルトロックワッシャ−のうちのいずれかである、前記（５）に記載の光源装置。
（７）
前記レンズ保持部は、外周部の側面に凹凸構造を有する、前記（１）乃至（６）のうちのいずれかに記載の光源装置。
（８）
更に、前記モータを保持するモータ保持部を備え、
前記調整機構は、前記筐体と前記モータ保持部とによって構成されている、前記（１）に記載の光源装置。
（９）
更に、前記モータを保持するモータ保持部と、前記モータ保持部を送り出す送りネジとを備え、
前記モータ保持部は、前記送りネジに対応する送りネジ用開口を有し、
前記調整機構は、前記送りネジおよび前記送りネジ用開口にそれぞれ設けられたネジ切りによって構成されている、前記（１）に記載の光源装置。
（１０）
前記レンズ保持部は、前記筐体と一体化されている、前記（９）に記載の光源装置。
（１１）
前記筐体は、前記モータ保持部を収容するモータ収容部を備え、
前記モータ収容部は、内部に前記モータ保持部の移動方向をガイドするガイド部を有し、
前記モータ保持部は、側面に前記ガイド部と嵌合する被ガイド部を有する、前記（９）または（１０）に記載の光源装置。
（１２）
前記モータ保持部と前記筐体とは、バネ性を有するワッシャ、ロックナット、接着材または止めネジにより固定されている、前記（９）乃至（１１）のうちのいずれかに記載の光源装置。
（１３）
前記バネ性を有するワッシャは、ウェーブワッシャ、バネ座金、皿バネ座金、ノルトロックワッシャ−のうちのいずれかである、前記（１２）に記載の光源装置。
（１４）
光源装置と、
前記光源装置から出射される光を変調する光変調素子と、
前記光変調素子からの光を投射する投射光学系とを備え、
前記光源装置は、
光源部と、
前記光源部からの励起光により励起されて蛍光を発する蛍光体を有する回転体と、
前記回転体を駆動するモータと、
前記回転体を収容する筐体と、
前記光源部からの励起光を前記回転体に向けて集光する１以上のレンズ群と、
前記レンズ群を保持するレンズ保持部と、
前記回転体と前記レンズ群との距離を調整する調整機構と
を有する投射型表示装置。
【００８０】
本出願は、日本国特許庁において２０１７年１０月５日に出願された日本特許出願番号２０１７−１９４９７８号を基礎として優先権を主張するものであり、この出願の全ての内容を参照によって本出願に援用する。
【００８１】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2019069563.tif 000003
【図２】
2019069563.tif 000004
【図３】
2019069563.tif 000005
【図４】
2019069563.tif 000006
【図５】
2019069563.tif 000007
【図６】
2019069563.tif 000008
【図７】
2019069563.tif 000009
【図８】
2019069563.tif 000010
【図９】
2019069563.tif 000011
【図１０】
2019069563.tif 000012
【図１１】
2019069563.tif 000013
【図１２】
2019069563.tif 000014
【図１３】
2019069563.tif 000015
【図１４】
2019069563.tif 000016
【図１５】
2019069563.tif 000017
【図１６】
2019069563.tif 000018
【図１７】
2019069563.tif 000019
【国際調査報告】
2019069563.tif 000020
2019069563.tif 000021
2019069563.tif 000022
2019069563.tif 000023